(57)【要約】【課題】本発明は圧着はがきに形成された剥離可能な感圧接着剤をそのまま利用して開封履歴が残るはがき作製用シートを提供することを目的とする。【解決手段】長方形の紙片の長辺を二等分する位置に折畳み予定部を有し、前記紙片の片面全面に剥離可能な感圧接着剤が形成されたはがき作製用シートであって、前記紙片の短辺近くの一コーナーには開封予定部が形成され、前記開封予定部の近傍の前記感圧接着剤形成面には開封チェックパターンが形成され、前記折畳み予定部の少なくとも前記開封チェックパターン形成面側には前記開封チェックパターンの内側を除く感圧接着剤形成面に５〜１５％の均一な網点が印刷によって形成され、前記開封チェックパターンの周縁にはハーフカット状に切込みが形成されたはがき作製用シートを提供する。【選択図】  図１
2010143083.tif 000002
【特許請求の範囲】
【請求項１】
長方形の紙片の長辺を二等分する位置に折畳み予定部を有し、前記紙片の片面全面に剥離可能な感圧接着剤が形成されたはがき作製用シートであって、前記紙片の短辺近くの一コーナーには開封予定部が形成され、前記開封予定部の近傍の前記感圧接着剤形成面には開封チェックパターンが形成され、前記折畳み予定部の少なくとも前記開封チェックパターン形成面側には前記開封チェックパターンの内側を除く感圧接着剤形成面に５〜１５％の均一な網点が印刷によって形成され、前記開封チェックパターンの周縁にはハーフカット状に切込みが形成されたことを特徴とするはがき作製用シート。
【発明の詳細な説明】
【技術分野】
【０００１】
本発明は、開封履歴が残るはがき作製用シートに関し、詳しくは、送付途中で送信情報が覗き見された場合、受け取った者がそのことを検知することができるはがき作製用シートに関する。
【背景技術】
【０００２】
従来から、他人に読まれたくない個人情報を伝達する場合は、個人情報を記載した書類を封書にして送付している。しかし、封書は、はがきにくらべ送付料金が高いために大量の送付物を発送しなければならない企業などにとっては大きな負担となっていた。
そこで、送信情報をはがきに内包して外から読めない状態で送付できる圧着はがきが登場した。
この圧着はがきは、貼り合わせ面に剥離可能な感圧接着剤が塗布され接着面に個人情報をプリントして特殊な圧着装置で前記接着剤面同士を圧着してはがき状態にして送付するはがきになっている。
はがきを受取った者は圧着された境界で貼り合わせ面を剥離して個人情報を読み取る。
【０００３】
しかし、このはがきにプリントされた個人情報が送付途中で覗き見され、不正に利用される事件が発生してきた。前記プリントされた個人情報がカードなどの暗証番号などに関連する情報の場合は、即座に暗証番号などを変更しなければならない。
そこで、他人がカバーシートを剥離して覗き見した場合、再接着してもそれを検知することができる秘匿情報隠蔽シートが提供されている（例えば、特許文献１参照）。
【０００４】
【特許文献１】特開２００３−７２２６４号公報
【発明の開示】
【発明が解決しようとする課題】
【０００５】
特許文献１に記載の発明の秘匿情報隠蔽シートによれば、ミシン線１を介してＢ片と一体のＡ片の外縁に近く、周囲に断続切込み３ａ，３ｂを施した円形の開披検知部２ａ，２ｂを設け、Ｂ片の裏面の前記開披検知部２ａ，２ｂと対向する部分に粘着性強粘接着剤４ａ，４ｂを、又Ａ片の裏面の開披検知部２ａ，２ｂを除くその他の面に粘着性弱粘接着剤５を塗布してＢ片の裏面に、Ａ片をミシン線１で屈曲して接着したものである。
【０００６】
しかし、特許文献１に記載の発明の秘匿情報隠蔽シートは、上記のごとく隠蔽シートの開封履歴を残すために貼り合わせ面に粘着性強粘接着剤と粘着性弱粘接着剤を形成しなければならない。
そこで、本発明は圧着はがきに形成された剥離可能な感圧接着剤をそのまま利用して開封履歴が残るはがき作製用シートを提供することを目的とするものである。
【課題を解決するための手段】
【０００７】
前記課題の目的を達成するために、本発明のはがき作製用シートは、長方形の紙片の長辺を二等分する位置に折畳み予定部を有し、前記紙片の片面全面に剥離可能な感圧接着剤が形成されたはがき作製用シートであって、前記紙片の短辺近くの一コーナーには開封予定部が形成され、前記開封予定部の近傍の前記感圧接着剤形成面には開封チェックパターンが形成され、前記折畳み予定部の少なくとも前記開封チェックパターン形成面側には前記開封チェックパターンの内側を除く感圧接着剤形成面に５〜１５％の均一な網点が印刷によって形成され、前記開封チェックパターンの周縁にはハーフカット状に切込みが形成されたことを特徴とするものである。
【発明の効果】
【０００８】
本発明のはがき作製用シートによって、
１）はがき作製用シートの感圧接着剤形成面に個人情報がプリントされ、感圧接着剤面同士が貼り合わされ、送付され、途中で受取人以外の者によって開封され、再圧着されて受取人に届けられた際に受取人は、開封部から開封し、開封チェックパターンの部分で接着強度が異なっているために抵抗があるはずなのに、なんら抵抗がなく剥がれてしまうことにより、送付途中で不正が行われた可能性を検知し、防衛策を講じることができる。
２）不正を行おうとするものは、はがき本体の外側に切込みなどが表出していないために、はがきに「開封チェック対策」が施されていることが判らない。
３）印刷される網点の面積を５〜１５％の間に設定できるために、さらに、網点をはがき貼り合わせ面の片面に印刷するか両面に印刷するか選択できるために、貼り合わせ面の剥離強度及び開封チェックパターン部の剥離強度を調整することができる。
４）はがきの作成費を安くすることができる。
【発明を実施するための最良の形態】
【０００９】
以下、図面を参照して、本実施の形態のはがき作製用シートについて説明する。
図１は、本実施の形態のはがき作製用シートの一例について説明するための図，図２は、図１のＡ−Ａ線断面図，図３は、開封部から開封した際の開封チェックパターン部の状態について説明するための図，図４は、従来の圧着はがきの一例について説明するための図，である。
【００１０】
図１を参照して、本実施の形態のはがき作製用シートの一例について説明する。
本実施の形態のはがき作製用シート１は、長方形の紙片の長辺を二等分する位置に折畳み予定部１１を有し、前記紙片の片面全面に剥離可能な感圧接着剤（以下、単に感圧接着剤ともいう）２が形成されている。  さらに、前記紙片の短辺コーナーの一箇所には開封予定部１２が形成され、前記開封予定部１２の近傍の感圧接着剤形成面には開封チェックパターン１３が形成され、前記開封チェックパターン１３の内側を除く感圧接着剤形成面に、５〜１５％の均一な網点４が印刷によって形成されている。
前記開封チェックパターン１３の周縁には、ハーフカット状に切込み（図示せず）が形成されている。
【００１１】
はがき作製用シート１の前記感圧接着剤２が形成された面には、受取人宛ての個人情報が送信情報３としてプリントされ、逆面には、受取人の宛先情報や、通信情報の一部がプリントされている。
【００１２】
折畳み予定部１１には、折り畳み易いように、ミシン目状の切込みが形成される場合もある。
図に示す開封予定部１２の点線と他の二辺に囲まれた三角形の部分は、目立ち易いように濃い色のインキでべた状に印刷されている場合がある。
開封予定部１２に貼り合わされる折畳み予定部１１に対して対抗する反対側の短辺コーナー部（図示せず）は、貼り合わされた際に前記べた部分が見えるようにコーナーカットされている。
前記コーナーカットされた部分の近傍の宛先情報プリント面には、「ここから開封してください」などと印刷によって記載されている。
【００１３】
また、前述のように網点４は、図１の折畳み予定部の左側（開封チェックパターン１３が形成された側）の開封チェックパターン１３の内側を除いて全面に形成することができる。
網点４はオフセット印刷によって適度なピッチで、「網点が印刷された部分と印刷されない部分との面積比が「５対９５」から「１５対８５」となるように、即ち、網点の面積比で５〜１５％となるように印刷される。
前述のピッチは、通常隣り合う網点と網点の中心間距離で、上質紙の場合は１／８０〜１／１２０インチで印刷される。
網点４は、プリントによる送信情報３が読みにくくならない程度の有色のインキで印刷してもよいし、無色のメジウムだけで印刷してもよい。
【００１４】
前述の網点４の面積比は、使用される感圧接着剤の粘着強度によって、粘着強度が大の場合は網点の面積比を大きくし、逆に粘着強度が小の場合は網点の面積比を小さくする。
また、感圧接着剤の粘着強度が大の場合は折畳み予定部の両側に網点印刷を施し、逆に粘着強度が小の場合は折畳み予定部の片側にだけ網点を印刷することができる。
【００１５】
図２を参照して、図１のＡ−Ａ線断面について説明する。
図１で説明したように、はがき作製用シートは折畳み予定部で感圧接着剤形成面同士が重なり合うように折畳まれて圧着され、図２のように、図の下側からシート基材１０，感圧接着剤２，開封チェックパターン１３以外の網点４，網点４，感圧接着剤２，シート基材１０の順に積層されている。
図の下側のシート基材１０には、開封チェックパターン１３の周縁にハーフカット状に（下側のシート基材１０の、感圧接着剤側からシート基材１０を貫通しない状態で）切り込み１３０が形成されている。
【００１６】
図３を参照して、開封部から開封した際の開封チェックパターン部の状態について説明する。
図１の上下のシート基材１０を、感圧接着剤２が貼り合わされた境界で開封すると網点印刷部は網点４によって感圧接着剤の接着力が弱められた状態で剥離される。
開封チェックパターン１３の部分にさしかかると、開封チェックパターン１３の部分は網点４が片側にしか形成されていないか、全く形成されていないため、接着強度が開封チェックパターン１３以外の部分より大きくなっている。
その結果、設定した感圧接着剤の接着強度にもよるが、開封チェックパターン１３の形状で切り込み１３０の部分から基材１０が破壊し、上側のシート基材１０に接着して剥ぎ取られる。
一度、開封部で剥がされたはがきは、修復のため再度貼り直されても開封チェックパターン１３の部分は修復されないために、途中で一度剥がされたことが判る。
【００１７】
図４を参照して、従来の圧着はがきの一例について説明する。
ａ図は、従来の圧着はがき１００を、宛先情報印字側から見た図である。
宛先情報印字面には、開封部１２０が表示され、図示していないが、点線のような切込み又は印刷による表示がなされている。
ｂ図は、ａ図のＢ−Ｂ線断面を示したものである。圧着はがき１００は、折畳み予定部１０１で折畳まれ、送信情報３０を内側にして感圧接着剤２０形成面で貼り合わされ、一体化されている。
【００１８】
開封部１２０で引き剥がされるとｃ図に示す状態となり、送信情報３０を読み取ることができる。不正を働くものが再度折畳み予定部１０１で感圧接着面２０を内側に折畳み、加圧するとｂ図に示す元の感圧はがきに戻る。
すなわち、受取人は送信情報３０が送付途中で覗き見されても、それを検知することができない。
【００１９】
図２を参照して、本実施形態のはがき作製シートに使用する材料の一例について説明する。但し、下記の材料に拘るものではない。
はがき作製シート１のシート基材１０には、１２７．９ｇ／ｍ2の上質紙，中質紙，コート紙，晒しクラフト紙，再生紙などから選択した材料を使用する。
剥離可能な感圧接着剤２として、ゴム系接着主剤、または、アクリル系接着剤中に微粒子を添加し、剥離可能とした感圧接着剤を使用する。剥離可能な感圧接着剤は、「コールドシール型接着剤」，「擬似接着剤」などとも呼ばれ、通常の粘着型接着剤や繰り返し再剥離再貼付できる接着剤と区別している。ここでいう「剥離可能な感圧接着剤」は、圧着された後剥離可能で一度剥離されると通常の加圧では再貼付することができない。
網点印刷用インキには、紫外線硬化用の市販のオフセットインキを使用する。
【００２０】
（実施例）
シート基材１０には、１２７．９ｇ／ｍ2の上質紙を使用した。
感圧接着剤には、ゴム系接着主剤中に微粒子を添加した擬似接着剤を使用した。
印刷にはＵＶ乾燥タイプのオフセットインキ（無色のメジウム）を使用した。
網点印刷面には、８０線／インチの線数で１０％の網点を均一に印刷した。
接着強度の測定には、感圧接着剤形成面に網点を印刷したシートと、網点を印刷していない無地のシートの組み合わせで、専用のシーラーで貼り合わせ、引き剥がし強度を比較した。引き剥がし強度は、引っ張り強度試験機を使用し、試料幅５０ｍｍの試験片による測定値で比較した。
測定結果（測定値は、測定点数各１０の平均値  ＜小数点以下は切り捨て＞）
網点印刷面同士の貼り合わせ      ：４０ｇ
網点印刷面と無地面の貼り合わせ  ：８０ｇ
無地面同士の貼り合わせ          ：２００ｇ（紙剥けが発生）
上記の結果から、開封チェックパターンによる検知は有効なことが判明した。
【産業上の利用可能性】
【００２１】
本発明のはがき作製用シートによるはがきは、金融機関，生損保会社，クレジットカード会社，百貨店などから送付されるはがきとして利用される。
【図面の簡単な説明】
【００２２】
【図１】本実施の形態のはがき作製用シートの一例について説明するための図である。
【図２】図１のＡ−Ａ線断面図である。
【図３】開封部から開封した際の開封チェックパターン部の状態について説明するための図である。
【図４】従来の圧着はがきの一例について説明するための図である。
【符号の説明】
【００２３】
１      はがき作製用シート
２，２０  感圧接着剤
３，３０  送信情報
４      網点
１０    シート基材
１１，１０１  折畳み予定部
１２    開封予定部
１３    開封チェックパターン
３１    宛先情報
１００  圧着はがき
１２０  開封部
１３０  切込み
【図１】
2010143083.tif 000003
【図２】
2010143083.tif 000004
【図３】
2010143083.tif 000005
【図４】
2010143083.tif 000006